(57)【要約】【課題】近傍の物体が発火したり発煙することがない安全な姿見装置を提供する。【解決手段】姿見装置１０は、合成樹脂製または金属製の鏡体１５と、鏡体１５を写真撮影装置１００のボックス本体１００ａの開口１００Ａに対応する位置に取り付ける背面板１２とを有する。鏡体１５は背面板１２内に外方に向かって凸形状をもつよう嵌め込まれている。【選択図】図１
2020119332.tif 000002
【特許請求の範囲】
【請求項１】
構造物壁面に設置される姿見装置において、
合成樹脂製または金属製の鏡体と、
前記鏡体を前記構造物壁面に取り付ける取付具とを備え、
前記取付具により前記鏡体を前記構造物壁面に取り付けた状態で、前記鏡体は外方に向かって凸形状をもつ、姿見装置。
【請求項２】
前記鏡体は前記構造物壁面の外面に取り付けられ、前記取付具は前記鏡体を前記構造物壁面の外面に取り付ける締結手段からなる、請求項１記載の姿見装置。
【請求項３】
前記構造物壁面は開口を有し、前記鏡体は前記構造物壁面の内面に、前記開口から外方へ露出するよう取り付けられ、前記取付具は前記鏡体を支持するとともに前記構造物壁面に取り付けられた背面板からなる、請求項１記載の姿見装置。
【請求項４】
前記鏡体と前記背面板との間に、前記鏡体を外方に向かって凸形状とする突出部が設けられている、請求項３記載の姿見装置。
【請求項５】
前記突出部は前記背面板と前記鏡体との間に介在された弾性体からなる、請求項４記載の姿見装置。
【請求項６】
前記突出部は前記背面板の一部を加工して形成される、請求項４記載の姿見装置。
【発明の詳細な説明】
【技術分野】
【０００１】
本開示の実施の形態は姿見装置に関する。
【背景技術】
【０００２】
従来、免許証やパスポート、履歴書等に貼付するための写真等を撮影するためのボックス型の写真撮影装置が知られている。このような写真撮影装置は一般に屋外に設置され、写真撮影装置のボックス本体の外面には、利用者が身なりを確認するため、鏡体を含む姿見装置が設置されている。
【０００３】
また、屋外に設置された仮設トイレに付随する洗面台にも、鏡体を含む姿見装置が設置されることがある。
【０００４】
このような姿見装置において、姿見装置の組み付けにより、場合によって鏡体が外方に向かって凹形状をもつことがある。この場合は、姿見装置が屋外に設置されているため、太陽光が鏡体に反射し、近傍の物体に結像して発火、発煙することが考えられる。
【発明の概要】
【発明が解決しようとする課題】
【０００５】
本開示はこのような点を考慮してなされたものであり、近傍の物体が発火したり、発煙することがない安全な姿見装置を提供することを目的とする。
【課題を解決するための手段】
【０００６】
本開示は、構造物壁面に設置される姿見装置において、合成樹脂製または金属製の鏡体と、前記鏡体を前記構造物壁面に取り付ける取付具とを備え、前記取付具により前記鏡体を前記構造物壁面に取り付けた状態で、前記鏡体は外方に向かって凸形状をもつ、姿見装置である。
【０００７】
本開示は、前記鏡体は前記構造物壁面の外面に取り付けられ、前記取付具は前記鏡体を前記構造物壁面の外面に取り付ける締結手段からなる、姿見装置である。
【０００８】
本開示は、前記構造物壁面は開口を有し、前記鏡体は前記構造物壁面の内面に、前記開口から外方へ露出するよう取り付けられ、前記取付具は前記鏡体を支持するとともに前記構造物壁面に取り付けられた背面板からなる、姿見装置である。
【０００９】
本開示は、前記鏡体と前記背面板との間に、前記鏡体を外方に向かって凸形状とする突出部が設けられている、姿見装置である。
【００１０】
本開示は、前記突出部は前記背面板と前記鏡体との間に介在された弾性体からなる、姿見装置である。
【００１１】
本開示は、前記突出部は前記背面板の一部を加工して形成される、姿見装置である。
【発明の効果】
【００１２】
以上のように本開示によれば、近傍の物体が発火したり発煙したりすることがない安全な姿見装置を提供することができる。
【図面の簡単な説明】
【００１３】
【図１】図１は、第１の実施の形態に係る姿見装置を示す分解斜視図。
【図２】図２は、図１に示す姿見装置の断面図。
【図３】図３は、写真撮影装置の外観を示す図。
【図４】図４は、鏡体を示す断面図。
【図５】図５は、第２の実施の形態に係る姿見装置の背面板を示す斜視図。
【図６】図６は、第２の実施の形態に係る姿見装置の断面図。
【図７】図７は、第３の実施の形態に係る姿見装置の背面板を示す斜視図。
【図８】図８は、第４の実施の形態に係る姿見装置を示す斜視図。
【図９】図９は、図８に示す姿見装置の断面図。
【発明を実施するための形態】
【００１４】
＜第１の実施の形態＞
次に図１乃至図４により、第１の実施の形態による姿見装置について説明する。
【００１５】
まず第１の実施の形態による姿見装置１０が設置される構造物、例えば写真撮影装置１００について説明する。図３に示すように、写真撮影装置１００は、ボックス本体１００ａを有し、ボックス本体１００ａ内には、カメラ１０２とモニタ１０３とが設置され、ボックス本体１００ａの床面には上下方向へ移動自在の椅子１０１が設けられている。
【００１６】
また、写真撮影装置１００は屋外に設置され、写真撮影装置１００のボックス本体１００ａは例えば金属製となっており、構造物の壁面を構成する。
【００１７】
このようなボックス本体１００ａに、利用者が身なりを確認するため、姿見装置１０が設置されている。
【００１８】
図１乃至図４に示すように、ボックス本体１００ａに設置された姿見装置１０は、縦長の長方形状をもつ合成樹脂または金属製の鏡体１５と、この鏡体１５をボックス本体１００ａに取り付けるための取付具、例えば背面板１２とを有する。具体的には図１および図２に示すようにボックス本体１００ａは、鏡体１５を取り付けるための開口１００Ａを有する。そして鏡体１５は開口１００Ａに対応するボックス本体１００ａの内面に設置され、この鏡体１５はボックス本体１００ａの内面側に取り付けられた背面板１２により保持されるとともに、開口１００Ａから外方へ露出している。
【００１９】
このうち、背面板１２は金属製となっており、ボックス本体１００ａ側に位置する一対の取付板１２ａ，１２ａと、一対の取付板１２ａ，１２ａからボックス本体１００ａ内側へ凹状へ引っ込む凹状部１２ｂとを有し、一対の取付板１２ａ，１２ａにはボルト穴１２ｃが設けられている。
【００２０】
またボックス本体１００ａの内側には、スタッド１６が埋め込まれている。
【００２１】
そして背面板１２の凹状部１２ｂ内に鏡体１５を嵌め込み、背面板１２をボックス本体１００ａの内面に鏡体１５が開口１００Ａに位置するよう設置する。この際、背面板１２のボルト穴１２ｃ内にスタッド１６を挿入し、スタッド１６にナット１７を嵌め込み締め付ける。このようにして、鏡体１５をボックス本体１００ａの開口１００Ａに対応させて配置し、かつ鏡体１５を背面板１２によりボックス本体１００ａの内面に保持することができる。
【００２２】
この場合、鏡体１５の短辺ｌ１は、背面板１２の凹状部１２ｂの幅ｌ２より長くなっている。このため、鏡体１５は背面板１２の凹状部１２ｂ内に、外方に向かって凸形状をもつよう長方形状をもつ鏡体１５の短辺ｌ１を湾曲させて嵌め込まれている。また、鏡体１５はボックス本体１００ａの外方に向かって凸形状をもち、かつ開口１００Ａから露出している。
【００２３】
一般に屋外に設置される鏡体１５が外方に向かって凹形状をもつと、太陽光が鏡体１５に反射し、この反射光が近傍の物体に結像して発火したり、発煙することが考えられる。
【００２４】
これに対して本実施の形態によれば、ボックス本体１００ａに設けられた鏡体１５は外方に向かって凸形状をもつため、太陽光が鏡体１５に反射して、近傍の物体に結像して発火したり、発煙することはない。
【００２５】
次に図４により鏡体１５について述べる。上述のように鏡体１５はボックス本体１００ａに外方に向かって凸形状をもつよう湾曲させて設置される。このため鏡体１５は一般のガラス製鏡と異なり、一定のたわみ特性をもつ。
【００２６】
このような鏡体１５は、例えばポリカーボネートやアクリルのような合成樹脂製の透明な鏡体本体１５ａと、鏡体本体１５ａの一方の面に蒸着されたアルミ蒸着層１５ｂとを有する。そして鏡体１５は鏡体本体１５ａを外方に向けて設置される。
【００２７】
あるいは鏡体１５として、表面が鏡面仕上げされたステンレス製鏡体を用いてもよい。
【００２８】
次にこのような構成からなる本実施の形態の作用について説明する。
【００２９】
上述のように、鏡体１５は背面板１２の凹状部１２ｂ内に、外方に向かって多少凸形状をもつよう湾曲させて嵌め込まれている。このため、鏡体１５はボックス本体１００ａの外方に向かって凸形状をもつことになる。
【００３０】
本実施の形態によれば、ボックス本体１００ａに設けられた鏡体１５は外方に向かって凸形状をもつため、太陽光が鏡体１５に反射して、近傍の物体に結像して発火したり、発煙することはない。
【００３１】
＜第２の実施の形態＞
次に図５および図６により第２の実施の形態による姿見装置について説明する。第２の実施の形態による姿見装置１０は、背面板１２の凹状部１２ｂと鏡体１５との間に縦方向に延びる細長状の弾性体（突起部）１８を設けたものである。他の構成は図１乃至図４に示す第１の実施の形態と略同一である。
【００３２】
図５および図６に示す第２の実施の形態において、図１乃至図４に示す第１の実施の形態と同一部分には同一符号を付して詳細な説明は省略する。
【００３３】
図５および図６に示す第２の実施の形態において、ボックス本体１００ａの内側には、スタッド１６が埋め込まれている。
【００３４】
そして背面板１２の凹状部１２ｂ内に鏡体１５を嵌め込み、背面板１２をボックス本体１００ａの内面に鏡体１５が開口１００Ａに位置するよう設置する。この際、背面板１２のボルト穴１２ｃ内にスタッド１６を挿入し、スタッド１６にナット１７を嵌め込み締め付ける。このようにして、鏡体１５をボックス本体１００ａの開口１００Ａに対応させて配置し、かつ鏡体１５を背面板１２によりボックス本体１００ａの内面に保持することができる。
【００３５】
この場合、鏡体１５の短辺ｌ１は、背面板１２の凹状部１２ｂの幅ｌ２より長くなっている。このため、鏡体１５は背面板１２の凹状部１２ｂ内に、外方に向かって凸形状をもつよう長方形状をもつ鏡体１５の短辺ｌ１を湾曲させて嵌め込まれている。また、鏡体１５はボックス本体１００ａの外方に向かって凸形状をもち、かつ開口１００Ａから露出している。
【００３６】
図５および図６において、背面板１２の凹状部１２ｂと鏡体１５との間に弾性体１８が設けられて、弾性体１８は予め凹状部１２ｂに固定されている。このため、長方形状をもつ鏡体１５をその短辺ｌ１を容易に湾曲させて、背面板１２の凹状部１２ｂ内に嵌め込むことができる。
【００３７】
なお、背面板１２の凹状部１２ｂと鏡体１５との間に弾性体１８を設けることなく、弾性体１８の代わりに背面板１２を加工して、突起部を設けてもよい。
【００３８】
＜第３の実施の形態＞
次に図７により第３の実施の形態による姿見装置について説明する。第３の実施の形態による姿見装置１０は、背面板１２として凹状部１２ｂにリブ１２ｅを残して大きな開口１２ｄが形成されたフレーム状のものを用い、背面板１２の凹状部１２ｂと鏡体１５との間に縦方向に延びる細長状の弾性体（突起部）１８を設けたものである。他の構成は図１乃至図４に示す第１の実施の形態と略同一である。
【００３９】
図７に示す第３の実施の形態において、図１乃至図４に示す第１の実施の形態と同一部分には同一符号を付して詳細な説明は省略する。
【００４０】
図７において、背面板１２の凹状部１２ｂと鏡体１５との間に弾性体１８が設けられ、弾性体１８は予めリブ１２ｅに固定されている。このため、長方形状をもつ鏡体１５をその短辺を容易に湾曲させて、背面板１２の凹状部１２ｂ内に嵌め込むことができる。
【００４１】
本実施の形態によれば、凹状部１２ｂに開口１２ｄを設けることにより、背面板１２の軽量化を図ることができる。
【００４２】
なお、背面板１２の凹状部１２ｂと鏡体１５との間に弾性体１８を設けることなく、弾性体１８の代わりにリブ１２ｅを加工して、突起部を設けてもよい。
【００４３】
＜第４の実施の形態＞
次に図８および図９により、第４の実施の形態による姿見装置について説明する。
【００４４】
図８および図９に示すように、ボックス本体１００ａに設置された姿見装置１０は、縦長の長方形状をもつ合成樹脂または金属製の鏡体１５と、この鏡体１５をボックス本体１００ａに取り付けるための取付具、例えば締め付けボルトのような締結手段とを有する。具体的には図８および図９に示すように鏡体１５はボックス本体１００ａの外面に設置され、この鏡体１５はボックス本体１００ａの外面側から締め付けボルト２１により締め付けられ、ボックス本体１００ａに固定されている。
【００４５】
図８および図９において、鏡体１５はボックス本体１００ａの外面に、締め付けボルト２１により締め付けて固定されている。この場合、鏡体１５は外方に向かって凸形状をもつよう、長方形状の鏡体１５の短辺ｌ１を湾曲させてボックス本体１００ａの外面に固定されている。
【００４６】
なお、図８および図９に示す第４の実施の形態において、図１乃至図４に示す第１の実施の形態と同一部分には同一符号を付して詳細な説明は省略する。
【符号の説明】
【００４７】
１０  姿見装置
１２  背面板
１２ａ  取付板
１２ｂ  凹状部
１２ｃ  ボルト穴
１２ｄ  開口
１２ｅ  リブ
１５  鏡体
１５ａ  鏡体本体
１５ｂ  アルミ蒸着層
１６  スタッド
１７  ナット
１８  弾性体
２１  締め付けボルト
１００  写真撮影装置
１００ａ  ボックス本体
【図１】
2020119332.tif 000003
【図２】
2020119332.tif 000004
【図３】
2020119332.tif 000005
【図４】
2020119332.tif 000006
【図５】
2020119332.tif 000007
【図６】
2020119332.tif 000008
【図７】
2020119332.tif 000009
【図８】
2020119332.tif 000010
【図９】
2020119332.tif 000011